(57)【要約】    【課題】  量水標の交換や清掃を簡単に安全にかつ安価に行える量水標構造を提供すること。    【解決手段】  量水標構造１は、量水標プレート３を交換可能に取り付け収納するための取り付けプレート２と、水位観測用のスケール４が備えられた量水標プレート３とからなり、取り付けプレート２は基板５と、基板５の側端部に設けられたガイド状体６とを備えてなり、ガイド状体６は取付けプレート２の左右両側端部に設けられた断面鈎状の構造であることを主たる構成とする。【選択図】  図１
0003132288.tif 000002
【実用新案登録請求の範囲】
【請求項１】
後記量水標プレートを交換可能に収納保持するための取り付け体と、水位観測用のスケールが備えられた量水標プレートとからなる量水標構造であって、該取り付け体は、少なくとも、該量水標プレートの左右両側端部を前面から被覆可能なガイド状体を備えてなることを特徴とする、量水標構造。
【請求項２】
後記量水標プレートを交換可能に取り付け収納するための取り付けプレートと、水位観測用のスケールが備えられた量水標プレートとからなる量水標構造であって、該取り付けプレートは、基板と、該基板の側端部に設けられたガイド状体とを備えてなり、該ガイド状体は該取付けプレートの左右両側端部に設けられた断面鈎状の構造であることを特徴とする、量水標構造。
【請求項３】
前記ガイド状体は、少なくともその一方が前記取り付けプレートの長手方向回りに回動可能であり、それにより水平移動によって前記量水標プレートを該取り付けプレートに着脱可能であることを特徴とする、請求項１または２に記載の量水標構造。
【請求項４】
前記ガイド状体は、その両方が前記取り付けプレートの長手方向回りに回動可能であり、それにより該取り付けプレートの正面から前記量水標プレートを該取り付けプレートに着脱可能であることを特徴とする、請求項１または２に記載の量水標構造。
【請求項５】
前記ガイド状体は、その上端部において前記量水標プレートを差し入れ、挿入保持および引き抜き可能なよう、上端部が開放されているかもしくは開放可能であることを特徴とする、請求項１ないし３４いずれかに記載の量水標構造。
【請求項６】
前記量水標プレートは、相互に折曲げ可能に連結された複数のサブプレートからなることを特徴とする、請求項１ないし５のいずれかに記載の量水標構造。
【請求項７】
前記サブプレート間の折曲げはすべて、少なくとも同じ方向への折曲げが可能であるよう、各サブプレート間が連結されていることを特徴とする、請求項６に記載の量水標構造。
【請求項８】
前記量水標構造は、設置用支持構造物に取り付けられて用いられることを特徴とする、請求項１ないし７のいずれかに記載の量水標構造。
【請求項９】
請求項６ないし８のいずれかに記載の量水標構造と、前記量水標プレートを上方に引き抜いて該量水標構造から取り外すための取り外し手段とからなる量水標プレート交換システムであって、該取り外し手段は、量水標プレートを前記ガイド状体の直上方へ引き抜くための引き上げ手段と、引き上げられた該量水標プレートのサブプレートを斜め下方に折り曲げられた姿勢にて斜め下方に搬送するための搬送手段とを備えてなることを特徴とする、量水標プレート交換システム。
【考案の詳細な説明】
【技術分野】
【０００１】
本考案は量水標構造および量水標プレート交換システムに係り、特に、河川等の水位観測用の量水標の交換や清掃を、簡単に安全にかつ安価に行うことを可能とする、新規な量水標構造および量水標プレート交換システムに関するものである。
【背景技術】
【０００２】
河川等の水位観測用量水標に関しては、従来種々の技術的改良の提案がなされている。たとえば特許文献１に記載の技術は、直接目視する場合の他、監視用カメラによって撮影した画像でも目盛りや文字を容易に読み取ることができる量水標として、目盛部とこれに対応する数値を示す文字部に、それらの形状に合わせた所定の面積範囲内の再帰性反射材を使用するというものである。
【０００３】
【特許文献１】特開２００６−４７１６７「量水標」
【考案の開示】
【考案が解決しようとする課題】
【０００４】
さて量水標は、長期に亘る設置・使用により、褪色等で表示が薄くなったり、表面への汚れ付着等が発生する。そうすると、主として目視により行われるスケールの目盛りの読み取りをしにくくなるため、量水標の交換、補修、清掃といった保守管理作業が必要である。
【０００５】
量水標はＨ型鋼や木板等に取り付けて設置するが、Ｈ型鋼に取り付ける方法では、水中部の量水標の交換、清掃は、危険防止・作業性の要請から渇水期を狙っての作業や、あるいは重機等を用いて量水標設置水域を閉め切っての大がかりな作業を要する。もっとも、そもそも高水位の場所では閉め切り作業も不可能なこともある。かかる大がかりな作業や時期の制限される作業のため、量水標の交換、清掃作業実施が困難となり、結局は水中部を固定することができず、洪水時や増水時に剥がれて流失したり、あるいは破損するといったことも多く、肝腎な時に量水標の機能を発揮できないということも多かった。
【０００６】
また、量水標を木板に取り付ける方法でも、水中部の木板が腐食すれば全体を交換しなくてはならず、その際、上述のような渇水期を狙っての作業や重機による閉め切り作業が必要となり、その労力の重度、作業の困難性、作業員の人身事故その他の事故発生の危険性、そしてコストの高さは基本的にＨ型鋼への取付けの場合と同様である。
【０００７】
量水標の交換や清掃等の保守管理作業は、河川水面上高所や水中部にて、あるいは河川水面上高所や陸上高所にて、船上・Ｈ鋼構造物上からの危険な作業や作業員の手作業、あるいは梯子を用いた作業等によってなされている。したがって、川に転落して流されたり、溺れたり、地面に落下したりする恐れがあり、生命に関わる非常な危険が伴う。また量水標交換等の際潜水作業がなされることもあるが、濁りが多く冷たい河川水中での手作業には制約が多く、作業員は相当無理な作業を強いられているのが現状である。
【０００８】
本考案はかかる従来技術の状況を踏まえ、その問題を解決するためになされたものである。つまり、河川等の水位観測用の量水標の交換や清掃を、簡単に安全にかつ安価に行うことを可能とする、新規な量水標構造および量水標プレート交換システムを提供することが、本考案の課題である。
【課題を解決するための手段】
【０００９】
本願考案者は上記課題について鋭意検討した結果、ガイド状の部分を備えた取り付けプレートを用いることなどによって上記課題を解決できることを見出し、本考案に至った。すなわち、上記課題を解決するための手段として本願で実用新案登録請求される考案、もしくは少なくとも開示される考案は、以下の通りである。
【００１０】
（１）  後記量水標プレートを交換可能に収納保持するための取り付け体と、水位観測用のスケールが備えられた量水標プレートとからなる量水標構造であって、該取り付け体は、少なくとも、該量水標プレートの左右両側端部を前面から被覆可能なガイド状体を備えてなることを特徴とする、量水標構造。
（２）  後記量水標プレートを交換可能に取り付け収納するための取り付けプレートと、水位観測用のスケールが備えられた量水標プレートとからなる量水標構造であって、該取り付けプレートは、基板と、該基板の側端部に設けられたガイド状体とを備えてなり、該ガイド状体は該取付けプレートの左右両側端部に設けられた断面鈎状の構造であることを特徴とする、量水標構造。
（３）  前記ガイド状体は、少なくともその一方が前記取り付けプレートの長手方向回りに回動可能であり、それにより水平移動によって前記量水標プレートを該取り付けプレートに着脱可能であることを特徴とする、（１）または（２）に記載の量水標構造。
（４）  前記ガイド状体は、その両方が前記取り付けプレートの長手方向回りに回動可能であり、それにより該取り付けプレートの正面から前記量水標プレートを該取り付けプレートに着脱可能であることを特徴とする、（１）または（２）に記載の量水標構造。
（５）  前記ガイド状体は、その上端部において前記量水標プレートを差し入れ、挿入保持および引き抜き可能なよう、上端部が開放されているかもしくは開放可能であることを特徴とする、（１）ないし（４）のいずれかに記載の量水標構造。
【００１１】
（６）  前記量水標プレートは、相互に折曲げ可能に連結された複数のサブプレートからなることを特徴とする、（１）ないし（５）のいずれかに記載の量水標構造。
（７）  前記サブプレート間の折曲げはすべて、少なくとも同じ方向への折曲げが可能であるよう、各サブプレート間が連結されていることを特徴とする、（６）に記載の量水標構造。
（８）  前記量水標構造は、設置用支持構造物に取り付けられて用いられることを特徴とする、（１）ないし（７）のいずれかに記載の量水標構造。
（９）  （６）ないし（８）のいずれかに記載の量水標構造と、前記量水標プレートを上方に引き抜いて該量水標構造から取り外すための取り外し手段とからなる量水標プレート交換システムであって、該取り外し手段は、量水標プレートを前記ガイド状体の直上方へ引き抜くための引き上げ手段と、引き上げられた該量水標プレートのサブプレートを斜め下方に折り曲げられた姿勢にて斜め下方に搬送するための搬送手段とを備えてなることを特徴とする、量水標プレート交換システム。
【考案の効果】
【００１２】
本考案の量水標構造および量水標プレート交換システムは上述のように構成されるため、これによれば、河川等の水位観測用の量水標の交換や清掃を、簡単に安全にかつ安価に行うことができる。
【００１３】
つまり本発明の量水標構造は、量水標プレートを収納するための取り付けプレートにより、量水標プレートを簡単に取り付けたり取り外したりすることができるため、作業性を大いに改善できる。従来のように重機を用いた作業は不要となり、少人数の作業員によって、簡単、安全かつ短い所要時間で、量水標の交換、清掃、補修等の作業を行うことができる。また、船の上からの交換作業やＨ鋼構造物上での非常に危険な作業を、従来より安全に行うことができる。また、重機使用が不可能な場合や不可能な場所においても、安全・確実かつ安価に作業を行うことができる。
【００１４】
また、河川の流量やその他の事情に特に影響されずに、量水標プレート取り外しを確実に行えるため、交換時の固定や清掃を確実かつ充分に行うことができるため、従来のように洪水時や増水時といった肝腎の時に流失する等の不具合の発生が防止される。したがって、災害時におけるリアルタイム水位観測にも充分に機能を発揮でき、住民の安全確保・非常時対策に確実に貢献することができる。
【００１５】
また、本発明の量水標プレート交換システムによれば、水深の深い場所であっても、重機を使用した大がかりな閉め切り工事は不要となり、設置、交換、清掃、輸送、補修作業を安価に行うことができる。そして、船上からの無理で危険な作業が相当軽減され、作業員の安全に大いに寄与することができる。
【考案を実施するための最良の形態】
【００１６】
以下、本考案を図面により詳細に説明する。各図面中に、具体的な材料、仕様、寸法等の表記がある場合があるが、これらは例示であり、本発明がこれらの記載によって限定されるものではない。また、各図中の説明として記載されている各語の意味は、それぞれ下記の通りである。
「折りたたみ状態」・・・折曲げた状態
「開閉部」、「開閉ガイド」・・・上記（２）、（３）他に記載された、回動可能なガイド状体
【００１７】
図１は、本考案の量水標構造の基本的構成を示す断面図である。図示するように本量水標構造１は、量水標プレート３を交換可能に取り付け収納するための取り付けプレート２と、水位観測用のスケール４が備えられた量水標プレート３とからなるものであって、取り付けプレート２は、基板５と、基板５の側端部に設けられたガイド状体６とを備えてなり、ガイド状体６は取付けプレート２の左右両側端部に設けられた断面鈎状の構造であることを、主たる構成とする。
【００１８】
かかる構成により、量水標の交換、清掃等の作業のために、スケール４の取り付けられた量水標プレート３を取り付けプレート２から取り外し分離した状態で、かかる作業を行うことができ、作業を容易化することができ、上述した種々の効果を得ることができ、または当該効果を得るための基本的な状態を、作用をせしめことができる。
【００１９】
後掲図３−２Ｂ、図７に示されるように、本考案量水標構造は、基板にガイド状体が設けられてなる取り付けプレートを備えた構成に限らず、量水標プレートの左右両側端部を前面から被覆可能なガイド状体を最低限備えてなる取り付け体（図３−２Ｂでは、ガイド状体３２６、図７ではガイド状体７６が該当する。）を用いることとした構成としてもよい。つまり、図１に示すような基板５の存在が常に本考案の必須要件となるわけではなく、図３−２Ｂ等のように、別の構造体を利用して配置されるガイド状体によって、量水標プレートの左右両側端部を前面から被覆可能であり、それによって量水標プレートを、該別の構造体との協働で収納保持できる構成が最低限あれば、それは「取り付け体」であり、本考案の量水標構造である。
【００２０】
図２は、本考案の量水標構造構成例を示す断面図である。図示するように本量水標構造２１は、図１により説明した本考案の基本的構成に加え、ガイド状体２６のうち、少なくとも一方に、蝶番等の回動可能化手段２７を設けられることによって、これが取り付けプレートの長手方向回りに回動可能であり、それにより水平移動によって量水標プレート２３を取り付けプレートに着脱可能であることを、特徴的な構成とする。
【００２１】
つまり、ガイド状体２９Ｚおよび量水標プレート２３を基板２５に固定しているボルト２９Ｚを取り外すことにより、ガイド状体２６は回動可能化手段２７によって回動可能となり、ガイド状体２６の開閉が可能となり、水平方向から量水標プレート２３を取り付けプレートに取り付けたり、あるいは取り外したりすることができる。あるいはまた、後述するように上方から引き抜く場合であっても、量水標プレート２３（およびそれに固定されたスケール２４）の前面が開放されるため、作業労力を軽減することができる。
【００２２】
図では一側端部側のみを示しているが、ガイド状体２６は、回動可能化手段２７をその左右両方ともに設けて、両方とも取り付けプレートの長手方向回りに回動可能なものとすることができ、またそれが望ましい。かかる構成により、取り付けプレートの正面から、量水標プレート２３を該取り付けプレートに着脱することができる。
【００２３】
図３Ａは、図２に示した本考案量水標構造につき、その具体的構成例について示す平面図（上面図）および底面図である。また、
図３Ｂは、図３Ａの量水標構造の正面図である。なお図３Ａでは、平面図を「上部」と、また底面図を「下部」として示している。これらに図示するように本量水標構造３１では、ガイド状体３６は、その上端部において量水標プレート３３もしくはスケール３４が取り付けられた量水標プレート３３を差し入れ、挿入保持および引き抜き可能なように、上端部が開放されている構成とすることができる。かかる構成によって本量水標構造３１においては、量水標プレート３３を上方に引き上げて、取り付けプレート（基板３５、ガイド状体３６からなる）から取り外すことができる。
【００２４】
図３Ａ、３Ｂに示した構成は、前掲図２に示した、取り付けプレート長手方向軸回りに回動可能なガイド状体の構成を併せ持った場合の構成であるが、かかる場合は、量水標プレート３３は上方への引き上げによっても、また水平方向への取り出しによっても、取り付けプレート（基板３５、ガイド状体３６からなる）から取り外すことができる。
【００２５】
実際に河川等に設置される量水標では、時間の経過に伴って土や砂の堆積（以下、「碓砂」という。）やゴミの引っ掛かり等によって、容易にこれを河床等から取り外すことのできない場合が多い。図２と図３Ａに示す上記の各特徴的構成を併せ持つ本考案量水標構造３１によれば、上方へ引き上げようという場合にもガイド状体３６による量水標プレート３３の固定を解除してガイド状体３６を回動して開いた状態にすれば、量水標プレート３３に掛かる碓砂等の圧力を一部なりとも軽減することができるため、引き上げ作業はより容易となる。
【００２６】
また、図示はしないが、ガイド状体３６の上端部、あるいは取り付けプレート３１全体としての上端部は、必ずしも常に開放端部となっている構成が必要なわけではない。たとえばこの部分は蓋の構造とし、通常時は蓋によって被覆した状態とし、量水標プレート３３の交換などの必要時のみ、蓋を開いて開放端部を形成する、という構成であってもよい。
【００２７】
図３Ａに示すように、本量水標構造３１の下部には、収納保持する量水標プレート３３が下方に抜け落ちることを防止するための抜け落ち防止具３８を設けることができる。抜け落ち防止具３８はたとえば図示するように、左右のガイド状体３６に亘って前方から取り付け、ボルト３９Ｘによって量水標プレート３３を押さえつけて固定するようにしてもよいし、またこれとは異なる方法によってもよい。要するに、量水標プレート３３が下方に抜け落ちないように、取り付けプレート３１との間での固定をなされば、どのような構造、構成でもよい。
【００２８】
なおまた図において、ボルト３９Ｙはスケール３４を量水標プレート３３に固定するための、ボルト３９Ｚはガイド状体３６を閉じて量水標プレート３３を収納保持、固定するためのものである。
【００２９】
なお、各図では抜け落ち防止具３８を「レベル固定金具」または「抜け落ち防止金具」と説明記載しているが、これは例示である。抜け落ち防止具３８はもちろん、その材質が金属製とは限定されない。
【００３０】
図３Ｂに示すように、本量水標構造３１の上部には、Ｈ鋼構造物など設置用支持構造物に、量水標構造固定用ボルト３９Ｗ等によって固定できるようにするための穴３０を設けるものとすることができる。この穴３０は、交換などで量水標プレート３３を取り外す際には、ボルト３９Ｗを外した後、これにワイヤーを掛ける等して引き抜くための、引き抜き手段の係止用の穴すなわち引き抜き用穴３０として機能する。
【００３１】
図３−２Ａは、図２に示した本考案量水標構造につき、別の具体的構成例についてその概要を示す正面図である。また、
図３−２Ｂは、図３−２Ａの量水標構造要部拡大断面図である。図中の「抜け落ち防止金具」「開閉部」等説明用語の意味合いは、これまでの説明において述べた内容と同様である。これらに図示するように本例量水標構造では、図３Ａ、３Ｂに示した構成とは異なり、ガイド状体３２６は、回動可能手段３２７を介して、設置用支持構造物たるＨ型鋼（Ｈ鋼構造物）に直接、ボルト３２９Ｖによって固定される。これは、上述の「取付体」構成の例である。
【００３２】
図示するように、必要に応じて位置等調整用の補助構造物ＪＫを配してこれにボルト３２９Ｚによって回動可能化手段３２７を固定することができ、この場合かかる固定は、ガイド状体３２６を固定することなり、量水標プレート３２３を収納、保持、固定することができる。
【００３３】
図３−２Ｂに示すように、本例量水標構造では、ガイド状体３２６は直接回動可能化手段３２７に固着されており、量水標プレート３２３の交換などでこの開放が必要な場合は、ボルト３２９Ｚを外すことによって、回動可能化手段３２７と連設されたガイド状態３２６は回動可能化手段３２７の回動によって開き、量水標プレート３２３を水平移動させて取り外すことができる。
【００３４】
また、ボルト３２９Ｚおよびボルト３２９Ｖの双方を外すことによって、回動可能化手段３２７とガイド状体３２６の一体化物を、Ｈ型鋼ＨＫ、補助構造物ＪＫから、量水標プレート３２３とは独立して取り外すこともできる。回動可能化手段３２７としては、蝶番を用いることができる。また特に、引き抜き蝶番を好適に用いることができる。図３−２Ａ、３−２Ｂに示した構成例は、たとえば、量水標構造を取り付ける対象の構造物に充分な取り付け幅がない場合などにも用いることができる。
【００３５】
図４Ａは、量水標プレートがサブプレートから構成される本考案量水標構造につき、量水標プレートの基本的構成を示す断面図である。また、
図４Ｂは、図４Ａの量水標プレートの要部拡大断面図、
図５は、図４Ａの量水標プレートの正面図である。これらに図示するように本量水標構造の量水標プレート４３は、相互に折曲げ可能に連結された複数のサブプレート４７、４７、・・・から構成するものとすることができる。ここで、各サブプレート４７、４７間の連結は、蝶番等の回動可能化手段４Ｈを用いて行うものとすることができる。かかる構成により、量水標プレート４３を上方へ引き出した際に、これを折りたたむことができ、引き上げる高さも抑えることができ、また搬送、運搬など、引き出し後の取扱いを行いやすくなる。
【００３６】
図においてサブプレート４７、４７間の折曲げがすべて、少なくとも同じ方向への自由自在な折曲げを可能とする、回動可能化手段４Ｈを用いることができる。少なくとも同一方向へ折り曲げることができれば、引き上げや搬送時における姿勢の柔軟化が可能となり、取り扱いやすく、事後の作業を容易化することができる。
【００３７】
もちろん、片方だけではなく両方向に、自由自在に折り曲げられる構造としてもよい。この場合は、交互に折曲げ方向を変えるように構成すれば、上記の作用・効果に加えて、量水標プレート４３を取り外した後の運搬や収納保管に場所を取らないという利点があり、便利である。
【００３８】
図５に示すように、量水標プレート４３のみならず、その上に取り付けるスケール４４も同様に、サブプレート化しておくことによって、上記作用・効果を得ることができる。
【００３９】
図６は、本考案量水標構造の設置用支持構造物への取り付け例を示す断面図であり、特に幅の狭いＨ鋼など幅の狭い設置用支持構造物への取り付け例を示すものである。基板６５から後方に延設された取り付け用部分により、設置用支持構造物ＨＫに取り付ける例である。
【００４０】
図７は、本考案量水標構造の設置用支持構造物への取り付け例を示す断面図であり、特に幅の狭いＨ鋼など幅の狭い設置用支持構造物への別の取り付け例を示すものである。設置用支持構造物ＨＫにガイド状体７６を、蝶番等の回動可能化手段を介して（図３−２Ｂと同様の構成となる。）、あるいは直接に取り付ける例である。
【００４１】
図８は、本考案量水標構造の設置用支持構造物への取り付け例を示す断面図であり、特に図６、７よりも幅が狭い設置用支持構造物への取り付け例を示すものである。基板８５からグリップアンカー等の固定化手段８９を用いて設置用支持構造物に固定する例である。
【００４２】
図９は、本考案量水標構造の設置用支持構造物への取り付け例を示す説明図であり、階段にも設置可能であることを示すものである。
【００４３】
図１０は、本考案の量水標プレート交換システムの実施例を示す説明図である。図示するように、要するに本システムは、量水標プレートを直上方へ引き抜くための引き上げ手段と、引き上げられた量水標プレートのサブプレートを斜め下方に折り曲げられた姿勢にて斜め下方に搬送するための搬送手段とをもって、構成することができる。
【００４４】
以下、図示する例について説明する。
本例は、現場の状況を、量水標まで距離５〜１０ｍ位、水深２ｍ以上、Ｈ鋼高さ４〜５ｍ以上と仮定したものである。また、Ｈ鋼上部は狭くて、作業員は１名しかあがれないため、必要な作業員は最低２人とした。以下は本システムを用いた作業手順である。
【００４５】
１． 陸上部でハンドウィンチ固定用のくいを、土中に踏み込み、または打ち込んでアンカーとする。
２． ハンドウィンチをセットする。
３． 作業員一人がボートなどでＨ鋼へ渡り、滑車用ポールをセット固定する。
４． ワイヤー先端つり上げフックを量水標プレートのサブプレート上部の穴に引っかけて、量水標プレートのサブプレートの固定ボルトを緩ませて、取り付けプレートのガイド状体上方へ引き抜き、またはガイド状体を開くかガイド状体を取り外して、サブプレートを搬送可能な状態にする。
【００４６】
５． ワイヤー先端つり上げフックを陸上側アンカーくいに固定し、緊張させる。
６． ４．で引き上げ搬送可能になったサブプレートは、つり下げハンガー（滑車付き）に次々とセットし、最後尾を介添えロープ専用フックで緊張させながら陸上部へと搬送する。
７． 陸上部に搬送された後、所定の交換作業終了後は、逆の手順で戻して固定する。
【産業上の利用可能性】
【００４７】
以上、本考案の量水標構造および量水標プレート交換システムについて、その構成および作用・効果を説明したが、本考案にはさらに以下の利点があることを付言する。
＜１＞渇水期や陸上部の手の届く範囲では、量水標プレートを取り付けプレートや取付体から引き上げたり、取り外したりすることなく、量水標プレート自体のみを交換することもできる。
＜２＞開閉するガイド状体によって、上方への回収が困難な場合でも、正面側に取り外して回収することができる。
＜３＞下方特に水上から陸上部へ引き上げて清掃、交換することができ、上述の通り、安全、確実、安心かつ安価な作業を実現できる。
【００４８】
量水標は全国各地、さらには世界各地の河川、港湾等の水域において必要不可欠である。したがって、本考案が提供する産業上の有用性は相当高く、利用価値が高い考案である。
【図面の簡単な説明】
【００４９】
【図１】本考案の量水標構造の基本的構成を示す断面図である。
【図２】図２は、本考案の量水標構造構成例を示す断面図である。
【図３Ａ】図３Ａは、図２に示した本考案量水標構造の具体的構成例について示す平面図（上面図）および底面図である。
【図３Ｂ】図３Ａの量水標構造の正面図である。
【図３−２Ａ】図２に示した本考案量水標構造につき、別の具体的構成例についてその概要を示す正面図である。
【図３−２Ｂ】図３−２Ａの量水標構造要部拡大断面図である。
【図４Ａ】量水標プレートがサブプレートから構成される本考案量水標構造につき、量水標プレートの基本的構成を示す断面図である。
【図４Ｂ】図４Ａの量水標プレートの要部拡大断面図である。
【図５】図４Ａの量水標プレートの正面図である。
【図６】本考案量水標構造の設置用支持構造物への取り付け例を示す断面図であり、特に幅の狭いＨ鋼など幅の狭い設置用支持構造物への取り付け例を示すものである。
【図７】本考案量水標構造の設置用支持構造物への取り付け例を示す断面図であり、特に幅の狭いＨ鋼など幅の狭い設置用支持構造物への別の取り付け例を示すものである。
【図８】図８は、本考案量水標構造の設置用支持構造物への取り付け例を示す断面図であり、特に幅が狭い設置用支持構造物への取り付け例を示すものである。
【図９】本考案量水標構造の階段への取り付け例を示す説明図である。
【図１０】本考案の量水標プレート交換システムの実施例を示す説明図である。
【符号の説明】
【００５０】
１、２１、３１、５１…量水標構造
２、５２…取り付けプレート
２７、３７、３２７…蝶番等の回動可能化手段
２９Ｙ、２９Ｚ、３９Ｘ、３９Ｙ、３９Ｚ、３２９Ｘ、３２９Ｙ、３２９Ｖ、３２９Ｚ…ボルト
３、２３、３３、３２３、４３、５３、６３、７３、８３…量水標プレート
３０、３２０、４０…（引き抜き用）穴
３８、３２８…抜け落ち防止具
３９Ｗ、３２９Ｗ…量水標構造固定用ボルト
４、２４、３４、３２４、４４、５４、６４、７４、８４…水位観測用のスケール
４７…サブプレート
４Ｈ…サブプレート間の回動可能化手段
５、２５、３５、５５、６５、８５…基板
６、２６、３６、３２６、５６、６６、７６、８６…ガイド状体
８９…固定化手段
ＨＫ…Ｈ型鋼（Ｈ鋼構造物）
ＪＫ…位置等調整用の補助構造物
Ｓ…階段
【図１】
0003132288.tif 000003
【図２】
0003132288.tif 000004
【図３Ａ】
0003132288.tif 000005
【図３Ｂ】
0003132288.tif 000006
【図３−２Ａ】
0003132288.tif 000007
【図３−２Ｂ】
0003132288.tif 000008
【図４Ａ】
0003132288.tif 000009
【図４Ｂ】
0003132288.tif 000010
【図５】
0003132288.tif 000011
【図６】
0003132288.tif 000012
【図７】
0003132288.tif 000013
【図８】
0003132288.tif 000014
【図９】
0003132288.tif 000015
【図１０】
0003132288.tif 000016
【手続補正書】
【提出日】平成19年3月22日(2007.3.22)
【手続補正１】
【補正対象書類名】実用新案登録請求の範囲
【補正対象項目名】全文
【補正方法】変更
【補正の内容】
【実用新案登録請求の範囲】
【請求項１】
後記量水標プレートを交換可能に収納保持するための取り付け体と、水位観測用のスケールが備えられた量水標プレートとからなる量水標構造であって、該取り付け体は、少なくとも、該量水標プレートの左右両側端部を前面から被覆可能なガイド状体を備えてなることを特徴とする、量水標構造。 
【請求項２】
後記量水標プレートを交換可能に取り付け収納するための取り付けプレートと、水位観測用のスケールが備えられた量水標プレートとからなる量水標構造であって、該取り付けプレートは、基板と、該基板の側端部に設けられたガイド状体とを備えてなり、該ガイド状体は該取付けプレートの左右両側端部に設けられた断面鈎状の構造であることを特徴とする、量水標構造。 
【請求項３】
前記ガイド状体は、少なくともその一方が前記取り付けプレートの長手方向回りに回動可能であり、それにより水平移動によって前記量水標プレートを該取り付けプレートに着脱可能であることを特徴とする、請求項１または２に記載の量水標構造。
【請求項４】
前記ガイド状体は、その両方が前記取り付けプレートの長手方向回りに回動可能であり、それにより該取り付けプレートの正面から前記量水標プレートを該取り付けプレートに着脱可能であることを特徴とする、請求項１または２に記載の量水標構造。 
【請求項５】
前記ガイド状体は、その上端部において前記量水標プレートを差し入れ、挿入保持および引き抜き可能なよう、上端部が開放されているかもしくは開放可能であることを特徴とする、請求項１ないし４のいずれかに記載の量水標構造。 
【請求項６】
前記量水標プレートは、相互に折曲げ可能に連結された複数のサブプレートからなることを特徴とする、請求項１ないし５のいずれかに記載の量水標構造。 
【請求項７】
前記サブプレート間の折曲げはすべて、少なくとも同じ方向への折曲げが可能であるよう、各サブプレート間が連結されていることを特徴とする、請求項６に記載の量水標構造。 
【請求項８】
前記量水標構造は、設置用支持構造物に取り付けられて用いられることを特徴とする、請求項１ないし７のいずれかに記載の量水標構造。 
【請求項９】
請求項６ないし８のいずれかに記載の量水標構造と、前記量水標プレートを上方に引き抜いて該量水標構造から取り外すための取り外し手段とからなる量水標プレート交換システムであって、該取り外し手段は、量水標プレートを前記ガイド状体の直上方へ引き抜くための引き上げ手段と、引き上げられた該量水標プレートのサブプレートを斜め下方に折り曲げられた姿勢にて斜め下方に搬送するための搬送手段とを備えてなることを特徴とする、量水標プレート交換システム。